(57)【特許請求の範囲】
【請求項１】
管理者からの操作指示を受け付ける第１操作受付手段、及び、利用者からの操作指示を受け付ける第２操作受付手段によって受け付けられた操作指示に従って、前記操作指示に対応する処理を実行するカラオケ装置であって、
前記カラオケ装置が再生する楽曲の音を発音する音量を表す楽曲音量レベルを決定、及び、保持する第１設定手段と、
前記カラオケ装置に入力された歌唱音声を発音する音量を表す歌唱音量レベルを決定、及び、保持する第２設定手段と、
許容音量レベル決定処理と第１音量調整処理と第２音量調整処理とを実行する制御手段と、
を備え、
前記許容音量レベル決定処理は、
前記第１操作受付手段により受け付けられた操作指示に従って許容音量レベルを決定し、
前記第１音量調整処理は、
前記第２操作受付手段により受け付けられた操作指示に従って、前記第１設定手段が楽曲音量レベルを上げて決定した場合、楽曲の音と歌唱音声とを合成した合成音の音量レベルを表す合成音量レベルが、前記許容音量レベル以下となるように、前記第２設定手段が設定可能な許容歌唱音量レベルを決定し、歌唱音量レベルを前記許容歌唱音量レベルに決定させる指示を前記第２設定手段に送り、
前記第２音量調整処理は、
前記第２操作受付手段により受け付けられた操作指示に従って、前記第２設定手段が歌唱音量レベルを上げて決定した場合、楽曲の音と歌唱音声とを合成した合成音の音量レベルを表す合成音量レベルが、前記許容音量レベル以下となるように、前記第１設定手段が設定可能な許容楽曲音量レベルを決定し、楽曲音量レベルを前記許容楽曲音量レベルに決定させる指示を前記第１設定手段に送る
ことを特徴とするカラオケ装置。
【請求項２】
前記第１操作受付手段により受け付けられた操作指示に従って、前記合成音量レベルを決定、及び、保持する第３設定手段を備え、
前記制御手段は、
前記第２操作受付手段が楽曲音量レベル、及び、歌唱音量レベルを順次上げる操作指示を所定の期間内に受け付けた場合、利用者が合成音量レベルを上げたいことを前記第１操作受付手段の表示手段に表示させる指示を発生する第１表示処理を実行する
ことを特徴とする請求項１に記載のカラオケ装置。
【請求項３】
前記第１操作受付手段により受け付けられた操作指示に従って、前記合成音量レベルを決定、及び、保持する第３設定手段を備え、
前記制御手段は、
前記第２操作受付手段が楽曲音量レベル、及び、歌唱音量レベルを同時に上げる操作指示を受け付けた場合、第２操作受付手段により受け付けられる各音量レベルを上げる操作指示に従って各音量レベルを上げる指示を前記第１及び第２設定手段の各々に送ることを制限する第３音量調整処理と、
利用者が合成音量レベルを上げたいことを前記第１操作受付手段の表示手段に表示させる指示を発生する第２表示処理と、
を実行することを特徴とする請求項１又は請求項２に記載のカラオケ装置。
【請求項４】
管理者からの操作指示を受け付ける第１操作受付手段を備える第１端末と、
利用者からの操作指示を受け付ける第２操作受付手段を備える第２端末と、
再生する楽曲の音を発音する音量を表す楽曲音量レベルを決定、及び、保持する第１設定手段、及び、入力された歌唱音声を発音する音量を表す歌唱音量レベルを決定、及び、保持する第２設定手段を備える楽曲再生装置と、
を備えるカラオケ装置において、
前記第１操作受付手段により受け付けられた操作指示に従って許容音量レベルを決定する許容音量レベル決定ステップと、
前記第２操作受付手段により受け付けられた操作指示に従って、前記第１設定手段が楽曲音量レベルを上げて決定した場合、楽曲の音と歌唱音声とを合成した合成音の音量レベルを表す合成音量レベルが、前記許容音量レベル以下となるように、前記第２設定手段が設定可能な許容歌唱音量レベルを決定し、歌唱音量レベルを前記許容歌唱音量レベルに決定させる指示を前記第２設定手段に送る第１音量調整ステップと、
前記第２操作受付手段により受け付けられた操作指示に従って、前記第２設定手段が歌唱音量レベルを上げて決定した場合、楽曲の音と歌唱音声とを合成した合成音の音量レベルを表す合成音量レベルが、前記許容音量レベル以下となるように、前記第１設定手段が設定可能な許容楽曲音量レベルを決定し、楽曲音量レベルを前記許容楽曲音量レベルに決定させる指示を前記第１設定手段に送る第２音量調整ステップと、
を備えることを特徴とするカラオケ装置の音量制御方法。
【発明の詳細な説明】
【技術分野】
【０００１】
本発明は、複数の操作受付手段を介して音量調整操作が可能なカラオケ装置に関する。
【背景技術】
【０００２】
従来、カラオケ装置の一設置場所として、スナック、喫茶店、および、老人福祉施設などが知られている。このような設置場所においては部屋のなかで、カラオケ利用客などの利用者が、従業員などの管理者により接客されながら、カラオケを楽しむ利用形態が存在する。この利用形態では、カラオケ装置の種々の指示を受け付ける操作受付手段として、利用者が操作する操作受付手段と、管理者が専用に操作する操作受付手段とが、用意されることがある。
【０００３】
複数の操作受付手段を介して操作可能なカラオケ装置の一例として、特許文献１に記載のカラオケ装置が提案されている。特許文献１に記載のカラオケ装置が、利用者の操作受付手段を介して楽曲の予約登録を受け付けると、予約登録が重複しているか否かがカラオケ装置により判断される。予約登録が重複していると判断された場合、重複していることを表す重複情報が管理者専用の操作受付手段の表示部に表示される。管理者は表示部に表示された重複情報を見ることにより、利用者の予約登録を確定させるか否かを指示する操作を入力する。これにより重複して楽曲が予約登録されることを防ぐことができる。
【先行技術文献】
【特許文献】
【０００４】
【特許文献１】特開２０１５−１６１７２０号公報
【発明の概要】
【発明が解決しようとする課題】
【０００５】
通常、複数の操作受付手段の各操作受付手段は、音量を調整する指示をカラオケ装置に送信するために操作可能に構成されている。しかしながら、各操作受付手段を操作してカラオケ装置が再生する楽曲の音量を調整したい場合、利用者が自由に音量を調節してしまうと後述の問題が生じる。
【０００６】
例えばカラオケ装置が設置されている施設からの音漏れによる騒音を防止するため、管理者は、利用者が自由に音量を変更することを望まない場合がある。そのため、利用者が歌唱中に所望の大きな音量に音量を変更する操作を行った場合、特許文献１に記載のカラオケ装置のように、利用者の操作を受け付けてから管理者の確定指示を受け付けるまで、カラオケ装置は利用者の操作に従った処理を実行しないことが考えられる。しかし、カラオケ装置が管理者の確定指示を待ってから処理を実行する場合、管理者の確定指示を受け付けるまで利用者が歌唱し難い状態が継続してしまい、利用者はカラオケを楽しむことができない。つまり、従来のカラオケ装置においては、利用者が歌唱しやすい音量、且つ、管理者が許容できる音量の範囲内において利用者に音量を変更させることが困難である、という問題がある。
【０００７】
本発明は、上述した問題を解決するためになされたものであり、利用者が歌いやすい音量と、管理者が望む音量とを同時に実現できるカラオケ装置を提供することを目的とする。
【課題を解決するための手段】
【０００８】
この目的を達成するために、請求項１記載のカラオケ装置は、管理者からの操作指示を受け付ける第１操作受付手段、及び、利用者からの操作指示を受け付ける第２操作受付手段によって受け付けられた操作指示に従って、前記操作指示に対応する処理を実行するカラオケ装置であって、前記カラオケ装置が再生する楽曲の音を発音する音量を表す楽曲音量レベルを決定、及び、保持する第１設定手段と、前記カラオケ装置に入力された歌唱音声を発音する音量を表す歌唱音量レベルを決定、及び、保持する第２設定手段と、許容音量レベル決定処理と第１音量調整処理と第２音量調整処理とを実行する制御手段と、を備え、前記許容音量レベル決定処理は、前記第１操作受付手段により受け付けられた操作指示に従って許容音量レベルを決定し、前記第１音量調整処理は、前記第２操作受付手段により受け付けられた操作指示に従って、前記第１設定手段が楽曲音量レベルを上げて決定した場合、楽曲の音と歌唱音声とを合成した合成音の音量レベルを表す合成音量レベルが、前記許容音量レベル以下となるように、前記第２設定手段が設定可能な許容歌唱音量レベルを決定し、歌唱音量レベルを前記許容歌唱音量レベルに決定させる指示を前記第２設定手段に送り、前記第２音量調整処理は、前記第２操作受付手段により受け付けられた操作指示に従って、前記第２設定手段が歌唱音量レベルを上げて決定した場合、楽曲の音と歌唱音声とを合成した合成音の音量レベルを表す合成音量レベルが、前記許容音量レベル以下となるように、前記第１設定手段が設定可能な許容楽曲音量レベルを決定し、楽曲音量レベルを前記許容楽曲音量レベルに決定させる指示を前記第１設定手段に送ることを特徴とする。
【０００９】
請求項２記載のカラオケ装置は、前記第１操作受付手段により受け付けられた操作指示に従って、前記合成音量レベルを決定、及び、保持する合成音量設定手段を備え、前記制御手段は、前記第２操作受付手段が楽曲音量レベル、及び、歌唱音量レベルを順次上げる操作指示を所定の期間内に受け付けた場合、利用者が合成音量レベルを上げたいことを前記第１操作受付手段の表示手段に表示させる指示を発生する第１表示処理を実行することを特徴とする。
【００１０】
請求項３記載のカラオケ装置は、前記第１操作受付手段により受け付けられた操作指示に従って、前記合成音量レベルを決定、及び、保持する合成音量設定手段を備え、前記制御手段は、前記第２操作受付手段が楽曲音量レベル、及び、歌唱音量レベルを同時に上げる操作指示を受け付けた場合、第２操作受付手段により受け付けられる各音量レベルを上げる操作指示に従って各音量レベルを上げる指示を前記第１及び第２設定手段の各々に送ることを制限する第４音量調整処理と、利用者が合成音量レベルを上げたいことを前記第１操作受付手段の表示手段に表示させる指示を発生する第２表示処理と、を実行することを特徴とする。
【００１１】
請求項４記載のカラオケ装置の音量制御方法は、管理者からの操作指示を受け付ける第１操作受付手段を備える第１端末と、利用者からの操作指示を受け付ける第２操作受付手段を備える第２端末と、再生する楽曲の音を発音する音量を表す楽曲音量レベルを決定、及び、保持する第１設定手段、及び、入力された歌唱音声を発音する音量を表す歌唱音量レベルを決定、及び、保持する第２設定手段を備える楽曲再生装置と、を備えるカラオケ装置において、前記第１操作受付手段により受け付けられた操作指示に従って許容音量レベルを決定する許容音量レベル決定ステップと、前記第２操作受付手段により受け付けられた操作指示に従って、前記第１設定手段が楽曲音量レベルを上げて決定した場合、楽曲の音と歌唱音声とを合成した合成音の音量レベルを表す合成音量レベルが、前記許容音量レベル以下となるように、前記第２設定手段が設定可能な許容歌唱音量レベルを決定し、歌唱音量レベルを前記許容歌唱音量レベルに決定させる指示を前記第２設定手段に送る第１音量調整ステップと、前記第２操作受付手段により受け付けられた操作指示に従って、前記第２設定手段が歌唱音量レベルを上げて決定した場合、楽曲の音と歌唱音声とを合成した合成音の音量レベルを表す合成音量レベルが、前記許容音量レベル以下となるように、前記第１設定手段が設定可能な許容楽曲音量レベルを決定し、楽曲音量レベルを前記許容楽曲音量レベルに決定させる指示を前記第１設定手段に送る第２音量調整ステップと、を備えることを特徴とする。
【発明の効果】
【００１２】
請求項１記載のカラオケ装置では、制御手段が、許容音量レベル決定処理と第１音量調整処理と第２音量調整処理とを実行する。これらの処理により、利用者は、カラオケ装置により再生される楽曲の楽曲音量レベルと、カラオケ装置に入力された歌唱音声の歌唱音量レベルとのバランスを所望のバランスに変更できる。一方、管理者は、第１操作受付手段により許容音量レベルを超えないように音量を指示できる。これにより、利用者は、楽曲と歌唱音声との音量バランスが歌唱しやすい音量バランスになるように音量レベルを変更できる一方、管理者は、利用者が歌唱しやすい音量バランスを変更したとしても変更されない許容音量レベルを指示することができる。
【００１３】
請求項２記載のカラオケ装置では、制御手段は、第２操作受付手段が楽曲音量レベル、及び、歌唱音量レベルを順次上げる操作指示を所定の期間内に受け付けた場合、利用者が合成音量レベルを上げたいことを第１操作受付手段の表示手段に表示させる指示を発生する第１表示処理を実行する。これにより、管理者は、第１操作受付手段の表示手段を通して、利用者が合成音量レベルを上げたいことを容易に知ることができる。表示手段の表示内容を見た後に、管理者は、利用者の要望に対処するための操作指示を、第１操作受付手段を通して迅速に制御手段に送信することができる。
【００１４】
請求項３記載のカラオケ装置では、制御手段は、第２操作受付手段が楽曲音量レベル、及び、歌唱音量レベルを同時に上げる操作指示を受け付けた場合、第２操作受付手段により受け付けられる各音量レベルを上げる操作指示に従って各音量レベルを上げる指示を第１及び第２設定手段の各々に送ることを制限する第４音量調整処理と、利用者が合成音量レベルを上げたいことを第１操作受付手段の表示手段に表示させる指示を発生する第２表示処理と、を実行する。利用者が、楽曲音量レベル、及び、歌唱音量レベルを同時に上げる操作指示を行った場合、各音量レベルを上げる指示が第１及び第２設定手段の各々に送られることが制限され、利用者の要望のみでは音量レベルの変更が実行されない。しかし、管理者は、第１操作受付手段の表示手段を通して、利用者が各音量レベルを上げたいことを容易に知ることができる。表示手段の表示内容を見た後に、管理者は、利用者の要望に対処するための操作指示を、第１操作受付手段を通して迅速に制御手段に送信することができる。
【００１５】
請求項４記載のカラオケ装置の制御方法では、第１端末と、第２端末と、楽曲再生装置と、を備えるカラオケ装置において、許容音量レベル決定ステップと、第１音量調整ステップと、第２音量調整ステップと、が実行される。これらのステップがカラオケ装置において実行されることにより、利用者は、カラオケ装置により再生される楽曲の楽曲音量レベルと、カラオケ装置に入力された歌唱音声の歌唱音量レベルとのバランスを所望のバランスに変更できる。一方、管理者は、第１操作受付手段により許容音量レベルを超えないように音量を指示できる。これにより、利用者は、楽曲と歌唱音声との音量バランスが歌唱しやすい音量バランスになるように音量レベルを変更できる一方、管理者は、利用者が歌唱しやすい音量バランスを変更したとしても変更されない許容音量レベルを指示することができる。
【図面の簡単な説明】
【００１６】
【図１】本発明の一実施形態に係るカラオケ装置を表すブロック図である。
【図２】楽曲再生装置の表示部および操作部を表す図である。
【図３】リモコン装置の表示部および操作部を表す図である。
【図４】楽曲再生装置、及び、リモコン装置により実行される処理を表すシーケンス図である。
【図５】リモコン装置の制御部により実行される処理を表すフロー図である。
【図６】楽曲再生装置、または、リモコン装置の表示部および操作部の遷移の一例を表す図である。
【図７】楽曲再生装置の制御部により実行される各音量の制御を視覚的に表すグラフである。
【発明を実施するための形態】
【００１７】
以下、本発明の実施の形態について図面を参照して説明する。
【００１８】
［１、カラオケ装置の構成］
本実施形態のカラオケ装置について、図１、図２、および図３を参照して説明する。図１はカラオケ装置を表す。カラオケ装置は、楽曲再生装置１と、楽曲再生装置１と通信可能に対応付けられたリモコン装置２ａ、２ｂ、および２ｃとを有する。
【００１９】
［１．１、楽曲再生装置の構成］
楽曲再生装置１は、後述の音量制御処理等の処理を実行する制御部１０を備える。制御部１０は、メモリ２０、記憶部３０、操作処理部４１、映像制御部５１、および、音響制御部６１と接続される。メモリ２０は、プログラムを記憶する記憶領域を備えるＲＯＭ、および、制御部１０の処理に従って、一時的に情報を記憶する記憶領域を備えるＲＡＭを有する。記憶部３０は、カラオケ装置において再生される楽曲の音を表すミュージック情報を複数記憶する。また、記憶部３０は、モニタ５２に表示するための歌詞テロップ、背景映像、および、グラフィックユーザインターフェイス（以下、ＧＵＩと記す。）を含む映像を表す映像情報を記憶する。
【００２０】
操作処理部４１は、楽曲再生装置１に対する各種操作を行うための操作部４２に接続される。操作部４２は、楽曲再生装置１本体の外装パネルに配置された操作摘み部、および、タッチパネルにより構成される操作キー部などを含む。操作部４２の構成については後述する。操作部４２は、受け付けた操作内容を操作処理部４１に送る。操作処理部４１は、送られた操作内容を制御部１０に対する指示情報に変換し制御部１０に送る。本実施形態においては、楽曲再生装置１は、管理者の管理のもとに利用され、管理者が操作部４２を操作することを想定している。一例として、ナイト店舗に設置されている楽曲再生装置においては、従業員が楽曲再生装置１の操作部４２を操作することを想定している。また、介護福祉施設に設置されている楽曲再生装置においては、職員が楽曲再生装置１の操作部４２を操作することを想定している。
【００２１】
映像制御部５１は、楽曲再生装置１が出力する映像を表示するためのモニタ５２に接続される。モニタ５２は、制御部１０の指示により映像制御部５１が記憶部３０から読み出した映像を表示する。一例として、モニタ５２は液晶パネルであって、映像制御部５１がモニタ５２に出力する歌詞テロップ、背景映像、および、ＧＵＩを表示する。本実施形態の楽曲再生装置１においては、操作部４２の一例である薄膜状のタッチパネルが、モニタ５２の表面形状に合わせて張り合わされ、モニタ５２に表示されたＧＵＩに対応する位置を操作者が触れることで操作を受け付けることを可能にしている。
【００２２】
操作部４２、および、モニタ５２について、図２を参照して説明する。図２は、楽曲再生装置１正面の外装パネル１ＦＰを表す図である。外装パネル１ＦＰは、左右の両側に４つの操作摘み部４２１Ａ〜４２４Ａを備え、中央にモニタ５２を備える。本実施形態では、操作部４２は、操作摘み部４２１Ａ〜４２４Ａ以外に、モニタ５２上に構成される操作キー部４２１Ｂ〜４２７Ｂ、および操作キー部４２１Ｃ〜４２７Ｃを含む。楽曲再生装置１の外装パネル１ＦＰには、ＢＧＭ音量操作キー部４２１Ａ、エコー量操作キー部４２２Ａ、ミュージック音量操作キー部４２３Ａ、およびマイク音量操作キー部４２４Ａがそれぞれ配置される。操作摘み部４２１Ａ〜４２４Ａは、回転摘みの構成を有し、回転摘みの円柱状の操作子がロータリーエンコーダに連結される。ロータリーエンコーダは、操作子の回転方向と回転量とを検出する公知の構成である。ＢＧＭ音量操作摘み部４２１Ａの操作子が右回りに回転されると、操作処理部４１は操作内容に従ってＢＧＭ音量を増幅させるように、制御部１０に指示情報を送る。また、ＢＧＭ音量操作摘み部４２１Ａの操作子が左回りに回転されると、操作処理部４１は操作内容に従ってＢＧＭ音量を減衰させるように、制御部１０に指示情報を送る。ＢＧＭ音量は、楽曲再生装置１が楽曲を再生していないときに再生される広告およびＢＧＭの音量を表す。ＢＧＭ音量操作摘み部４２１Ａと同様に、ミュージック音量操作摘み部４２３Ａ、およびマイク音量操作摘み部４２４Ａの操作子を右回りに回転させるとそれぞれ対応する音量を増幅させることができ、左回りに回転させるとそれぞれ対応する音量を減衰させることができる。ミュージック音量は、楽曲再生装置１が再生する楽曲の演奏音の音量を表す。マイク音量は、歌唱用マイク６２により受け付けられた入力された音の音量を表す。エコー量操作摘み部４２２Ａについては、操作子を右回りに回転させるとエフェクト量が増加し、エコー成分がより長い時間、且つ強くスピーカから発音される。操作子を左回りに回転させると、エフェクト量が減衰し、エコー成分がより短い期間、且つ弱くスピーカから発音される。
【００２３】
モニタ５２は、タッチパネルが表面形状に合わせて張り合わされており、タッチパネルと対応してＧＵＩを表示する。図２においては音量、および再生中の楽曲のテンポ、およびキーを変更するためのＧＵＩがモニタ５２に表記されている。モニタ５２は、タッチパネルの操作位置に対応して、ＢＧＭ音量加算操作キー部４２１Ｂ、エコー量加算操作キー部４２２Ｂ、ミュージック音量加算操作キー部４２３Ｂ、マイク音量加算操作キー部４２４Ｂ、主音量加算操作キー部４２５Ｂ、テンポ加算操作キー部４２６Ｂ、およびキー加算操作キー部４２７Ｂを表示する。また、モニタ５２は、タッチパネルの操作位置に対応して、ＢＧＭ音量減算操作キー部４２１Ｃ、エコー量減算操作キー部４２２Ｃ、ミュージック音量減算操作キー部４２３Ｃ、マイク音量減算操作キー部４２４Ｃ、主音量減算操作キー部４２５Ｃ、テンポ減算操作キー部４２６Ｃ、およびキー減算操作キー部４２７Ｃを表示する。表示領域５２１は、後述のリモコン装置の動作モードを表すメッセージを表示する。各操作キー部４２１Ｂ〜４２４Ｂが操作されると、操作摘み部４２１Ａ〜４２４Ａを右回りに回転させたときと同様に、操作処理部４１は音量およびエフェクト量を増幅させる指示情報を制御部１０に送る。また、各操作キー部４２１Ｃ〜４２４Ｃが操作されると、操作摘み部４２１Ａ〜４２４Ａを左回りに回転させたときと同様に、操作処理部４１は音量およびエフェクト量を減衰させる指示情報を制御部１０に送る。主音量加算操作キー部４２５Ｂおよび、主音量減算操作キー部４２５Ｃが操作されると、操作処理部４１はマイク音量とミュージック音量とを同時に増幅または減衰させる指示情報を制御部１０に送る。
【００２４】
音響制御部６１は、歌唱用マイク６２およびスピーカ６３と接続される。歌唱用マイク６２は、アナログデジタル変換器を内蔵する。この変換器により、歌唱用マイク６２に入力された音がデジタル情報に変換される。この変換されたデジタル情報である歌唱音声情報が音響制御部６１に送られる。音響制御部６１は、マイク音量調整部６１１、ミュージック音量調整部６１２、ミキサー６１３、デジタルアナログ変換器（以下、ＤＡＣと記す。）６１４、および主音量調整部６１５を備える。マイク音量調整部６１１は、歌唱用マイク６２から送られた歌唱音声情報と、制御部１０から送られるマイク音量情報とを受け付ける。マイク音量調整部６１１は、マイク音量情報に従って歌唱音声情報が示す音量のゲインを調整し、調整した歌唱音声情報をミキサー６１３に送る。マイク音量情報は、操作部４２がマイク音量を変更する指示を受け付けた場合に、制御部１０において生成されるマイク音量のゲインの変更量を表す情報である。ミュージック音量調整部６１２は、制御部１０から送られたミュージック音量情報に従ってミュージック情報が示す音量のゲインを調整し、調整したミュージック情報をミキサー６１３に送る。ミュージック音量情報は、操作部４２がミュージック音量を変更する指示を受け付けた場合に、制御部１０において生成されるミュージック音量のゲインの変更量を表す情報である。
【００２５】
ミキサー６１３は、歌唱音声情報およびミュージック情報をミキシングして、カラオケ音声情報を生成する。ミキサー６１３は、カラオケ音声情報をＤＡＣ６１４に送る。ＤＡＣ６１４は、デジタル情報であるカラオケ音声情報を、アナログ信号であるカラオケ音声信号に変換する。ＤＡＣ６１４は、カラオケ音声信号を主音量調整部６１５に送る。主音量調整部６１５は、制御部１０から送られた主音量情報に従ってカラオケ音声信号のゲインを調整する。主音量情報は、操作部４２が主音量を変更する指示を受け付けた場合に、制御部１０において生成される主音量のゲインの変更量を表す情報である。主音量調整部６１５は、カラオケ音声信号のゲインを調整した後に、カラオケ音声信号をスピーカ６２に送る。スピーカ６２は、カラオケ音声信号に従って発音する。
【００２６】
通信部７１は、周知の無線ＬＡＮ通信規格に則った無線通信機能を有し、後述のリモコン装置２と、楽曲再生装置１とを通信可能にするための無線通信用モジュールである。一例として、通信部７１はＷｉ−Ｆｉ（登録商標）、Ｂｌｕｅｔｏｏｔｈ（登録商標）、または、赤外線通信用のモジュールなどで構成される。
【００２７】
［１．２、リモコン装置の構成］
リモコン装置２は、楽曲再生装置１の遠隔操作機器であり、カラオケ専用端末であるカラオケナビ２ａ、リモコンアプリがインストールされリモコン装置として利用可能なスマートフォン２ｂ、およびカラオケ用リモコン装置２ｃを含む。本実施形態のカラオケ装置は、これらのリモコン装置２のいずれかまたは、複数を備える。このリモコン装置２は、楽曲再生装置１へのログイン、カラオケサービスに関する情報の検索や閲覧、および演奏音量を変更する操作等を行うことができるように構成されている。
【００２８】
カラオケナビ２ａを一例として説明する。カラオケナビ２ａは、制御部２１０、記憶部２３０、操作部２４２、表示部２５２、および通信部２７１を備える。制御部２１０は、記憶部２３０、操作部２４２、表示部２５２、および通信部２７１と接続される。
【００２９】
制御部２１０は、記憶部２３０に記憶されるプログラムを読み出して実行し、楽曲再生装置１に各種指示を送る。記憶部２３０は、制御部２１０が実行するプログラム、及び、表示部２５２に表示させるＧＵＩを記憶する。また、記憶部２３０は、後述の対応付けによって、カラオケナビ２ａと対応付けられた楽曲再生装置１の情報、および、その楽曲再生装置１を利用している利用者および管理者のログイン情報を記憶する。
【００３０】
操作部２４２は、利用者または管理者からの操作を受け付けるためのタッチパネルや、キー・スイッチ等によって構成される。操作部２４２は受け付けた操作内容を示す指示情報を制御部２１０に送る。制御部２１０はＧＵＩの表示内容を変更する処理、および、操作内容に対応する指示情報を楽曲再生装置１に送る処理を実行する。
【００３１】
表示部２５２は、液晶パネルであってＧＵＩを表示する。本実施形態のカラオケナビ２ａは、楽曲再生装置１のモニタ５２と同様に表示部２５２の表面に薄膜状のタッチパネルが表面形状に合わせて張り合わされて構成されており、タッチパネルと対応してＧＵＩを表示する。
【００３２】
操作部２４２、および、表示部２５２について、図３を参照して説明する。図３の（Ａ）および（Ｂ）はリモコン装置の表示部２５２に表示される表示内容を表す。図３の（Ａ）は後述のログインによって管理者を表す識別情報が認証された場合、表示部２５２に表示される表示内容の一例を示す。表示領域２５２１には、ログインによって認証された管理者のニックネーム「オーナー」と、リモコン装置２の動作モード「オーナーモード」とが表示される。表示部２５２は、表面に張り合わされたタッチパネルの操作位置に対応して、ＢＧＭ音量加算操作キー部２４２１Ｂ、エコー量加算操作キー部２４２２Ｂ、ミュージック音量加算操作キー部２４２３Ｂ、マイク音量加算操作キー部２４２４Ｂ、主音量加算操作キー部２４２５Ｂ、テンポ加算操作キー部２４２６Ｂ、およびキー加算操作キー部２４２７Ｂを表示する。また、表示部２５２は、タッチパネルの操作位置に対応して、ＢＧＭ音量減算操作キー部２４２１Ｃ、エコー量減算操作キー部２４２２Ｃ、ミュージック音量減算操作キー部２４２３Ｃ、マイク音量減算操作キー部２４２４Ｃ、主音量減算操作キー部２４２５Ｃ、テンポ減算操作キー部２４２６Ｃ、およびキー減算操作キー部２４２７Ｃを表示する。
【００３３】
図３の（Ｂ）は、後述のログインにより利用者が認証されていない場合、表示部２５２に表示される表示内容の一例を示す。表示領域２５２１には、ログインによって利用者が認証されていないことを表す「ゲスト」と、リモコン装置の動作モード「ゲストモード」とが表示される。さらに、表示領域２５２２には「ゲストモード」によって機能が制限されていることを説明するメッセージが表示される。表示部２５２は、表面に張り合わされたタッチパネルの操作位置に対応して、ＢＧＭ音量加算操作キー部２４２１Ｂ、エコー量加算操作キー部２４２２Ｂ、ミュージック音量加算操作キー部２４２３Ｂ、マイク音量加算操作キー部２４２４Ｂ、主音量加算操作キー部２４２５Ｄ、テンポ加算操作キー部２４２６Ｂ、およびキー加算操作キー部２４２７Ｂを表示する。また、表示部２５２は、タッチパネルの操作位置に対応して、ＢＧＭ音量減算操作キー部２４２１Ｃ、エコー量減算操作キー部２４２２Ｃ、ミュージック音量減算操作キー部２４２３Ｃ、マイク音量減算操作キー部２４２４Ｃ、主音量減算操作キー部２４２５Ｅ、テンポ減算操作キー部２４２６Ｃ、およびキー減算操作キー部２４２７Ｃを表示する。主音量加算操作キー部２４２５Ｄ、および主音量減算操作キー部２４２５Ｅの表示内容は、利用者により主音量の変更ができないように機能が制限されたことを表し、背景が透過して見えるように表示されている。つまり図３の（Ａ）の主音量加算操作キー部２４２５Ｂ、および主音量減算操作キー部２４２５Ｃの機能が制限されていることを表す透過表示の状態で、主音量加算操作キー部２４２５Ｄ、および主音量減算操作部２４２５Ｅが表示される。
【００３４】
通信部２７１は、楽曲再生装置１の通信部７１と通信を可能にする周知の無線ＬＡＮ通信規格に則った無線通信機能を有する無線通信モジュールである。
【００３５】
［２、楽曲再生装置１とリモコン装置２との対応付け］
対応付けは、楽曲再生装置１とリモコン装置２とを互いに通信可能に設定する処理である。一例として、通信部２７１と通信部７１とが有する赤外線通信用モジュールを介して、リモコン装置２は、リモコン装置２の識別情報を楽曲再生装置１に送信する。楽曲再生装置１は、受け付けた識別情報を記憶部３０に記憶する。楽曲再生装置１は記憶部３０に記憶された識別情報により識別されるリモコン装置２に通信部２７１を介して楽曲再生装置１の識別情報を送る。リモコン装置２は受け付けた楽曲再生装置１の識別情報を記憶部２３０に記憶する。識別情報の一例として、リモコン装置２および楽曲再生装置１にそれぞれに割り当てられたＩＰアドレスおよびシリアル番号を用いることが考えられる。本実施形態においては、互いに通信を行うためにＩＰアドレスが識別情報として登録されることで対応付けが行われているものとする。対応付けにより、リモコン装置２は、操作部２４２が受け付けた操作に従って楽曲再生装置１に処理を実行させるための指示情報を送ることが可能になる。
【００３６】
［３、ユーザのログイン］
ログインは、制御部１０で実行される、利用者および管理者を識別する処理である。操作部４２または操作部２４２を介して入力された利用者などの識別情報、およびパスワードに従って実行される。入力された識別情報、およびパスワードが既に記憶部３０に記憶されている対応関係を満たしているか否かが判断される。対応関係を満たしていると制御部１０により判断された場合、認証された識別情報が、管理者であるか利用者であるかが判断される。記憶部３０に記憶される識別情報が管理者であることを示していると判断された場合、管理者であると判断される。管理者であるか否かは、識別情報と対応付けて記憶される管理者フラグにより判断される。認証された識別情報が、管理者であるか利用者であるかが判断されると、認証された利用者または管理者の識別情報がログイン済みユーザとして記憶部３０および記憶部２３０に記憶される。このログインにより、管理者か否かが判断された結果に従って、後述の操作モードが決定される。
【００３７】
［４、楽曲再生装置１及びリモコン装置２の音量制御処理］
本実施形態における楽曲再生装置１及びリモコン装置２の音量制御処理について図４、及び図５を参照して説明する。図４に示される音量制御処理は、管理者がログイン済みの楽曲再生装置１の制御部１０と、リモコン装置２の制御部２１０とにより実行される。また、図４に示される音量制御処理を実行する楽曲再生装置１とリモコン装置２とは、音量制御処理が開始される前に、すでに互いに通信可能に対応付けられている。音量制御処理は、マイク音量またはミュージック音量を変更する操作を操作部２４２が受け付けると開始される。
【００３８】
ステップＳ２０１では、操作部２４２が操作を受け付けると、操作内容に従って、楽曲再生装置１に送る指示情報が生成される。生成された指示情報は、通信部２７１を介して楽曲再生装置１に送られる。指示情報は、操作部２４２が受け付けた操作内容を表す情報と、操作を行った時点にログインしている利用者または管理者の識別情報とを含む。ログインしているユーザがいない場合は、指示情報は、識別情報を含まない、または一時的に発行される識別情報を含む。操作内容を表す情報は、ミュージック音量加算操作キー部２４２３Ｂ、ミュージック音量減算操作キー部２４２３Ｃ、マイク音量加算操作キー部２４２４Ｂ、または、マイク音量減算操作キー部２４２４Ｃが操作された期間または回数などの操作量を表す。同時に複数の操作キー部が操作された場合は、複数の操作内容が含まれた指示情報が生成され、楽曲再生装置１に送られる。本実施形態においては、操作部２４２が音量を変更する操作を受け付け、指示情報が生成される。操作指示を楽曲再生装置１に送ると、リモコン装置２は、利用者または管理者の次の操作を受け付けるまで、待機状態となる。
【００３９】
［４．１、楽曲再生装置１の処理］
制御部１０は、ステップＳ２０１においてリモコン装置２により生成された指示情報を受け付け、ステップＳ１０１の処理を開始する。
【００４０】
ステップＳ１０１では、指示情報に含まれる識別情報により、管理者による指示か利用者による指示かが判断される。指示情報に含まれる識別情報と、楽曲再生装置１の記憶部３０に記憶される識別情報とが比較される。指示情報に含まれる識別情報が管理者を示す識別情報と一致する場合、管理者であると判断される。指示情報に含まれる識別情報が管理者を示す識別情報と一致しない場合、利用者であると判断される。管理者であると判断された場合、ステップＳ１０１の処理はステップＳ１１１に移される。管理者でないと判断された場合、ステップＳ１０１の処理はステップＳ１０２に移される。
【００４１】
ステップＳ１０２では、楽曲再生装置１の動作モードが操作禁止モードか否かが判断される。操作モードとしては、ゲストモードとオーナーモードとがある。さらに、ゲストモードとしては、操作制限モードと、バランス変更モードと、操作禁止モードと、がある。操作禁止モードであると判断される場合、ＹＥＳとなり音量変更処理が終了される。言い換えると、利用者による操作が禁止されている状態であるため、操作指示を受け付けてもそれに対応する処理は実行されない。操作禁止モードでない場合、処理はステップＳ１０３に移される。
【００４２】
ステップＳ１０３では、特殊な操作が行われたか否かが判断される。特殊な操作がされたか否かの判断は、指示情報に含まれる操作内容を表す情報に従って判断される。操作内容を表す情報が、マイク音量とミュージック音量とを同時に上げる操作を受け付けたことを表す場合、特殊な操作がされたと判断される。換言すると、ミュージック音量加算操作キー部２４２３Ｂと、マイク音量加算操作キー部２４２４Ｂとが同時に操作された場合にリモコン装置２から送られる指示情報か否かが判断される。
【００４３】
また、特殊な操作として、楽曲再生装置１が連続して指示情報を受け付け、かつ、指示情報が含む操作内容を表す情報が、ミュージック音量と、マイク音量とを上げる操作を順次受け付けたことを表す場合、特殊な操作がされたと判断される。一例として、楽曲再生装置１の内部時計が示す時間が５秒進む所定期間にミュージック音量と、マイク音量とを上げる操作を順次受け付けた場合、特殊な操作がされたと判断される。特殊な操作の具体例として、マイク音量とミュージック音量とを交互に上げる操作を所定期間内に受け付けた場合、または、マイク音量とミュージック音量とを上げる操作を少なくとも１回ずつ所定期間内に受け付けた場合などがある。これらの特殊な操作は、利用者がミュージック音量とマイク音量とをどちらも上げたいことを操作内容から推測できる操作の組み合わせである。特殊な操作であると判断された場合、処理はステップＳ１０９に移される。特殊な操作でないと判断された場合、ステップＳ１０４に処理が移される。
【００４４】
ステップＳ１０４では、操作内容を表す情報に従って、各音量のゲインを変更した場合、各音量のゲインの総変更量が閾値を越えるか否かが判断される。まず、閾値については、後述のステップＳ１１４で記憶された各音量のゲインであって、記憶部３０に記憶されたマイク音量のゲインとミュージック音量のゲインとの合計値が、ステップＳ１０４で制御部１０により閾値と決定される。ステップＳ１０４以前にステップＳ１１４が実行されていない場合、楽曲再生装置１は、その起動時点に設定されていたマイク音量のゲインとミュージック音量のゲインとの合計値を閾値として記憶部３０に記憶する。
【００４５】
次に、指示情報に従って変更されるマイク音量のゲインとミュージック音量のゲインとの合計値が記憶部３０に記憶された閾値とを比較され、その合計値が閾値より大きな値であるか否かが判断される。大きな値であると判断された場合、処理はステップＳ１０６に移される。大きな値ではないと判断されると、処理はステップＳ１０５に移される。
【００４６】
ステップＳ１０５では、指示情報に従って音量が変更される。具体的には、指示情報に従って各音量のゲインを調整させる指示が、音量調整部６１１、６１２のうちの各音量に対応する音量調整部に送られる。一例として、指示情報がマイク音量のゲインを０．１ｄＢ（０．１デシベル）小さくすることを指示する情報である場合を説明する。指示情報に従って、制御部１０はマイク音量調整部６１１にゲインを０．１ｄＢ小さくすることを指示するマイク音量情報を送る。制御部１０は、ゲインの増減値ではなく、増減された後に決定されるゲイン値をマイク音量情報として送ってもよい。ミュージック音量を調整する場合には、制御部１０は、ミュージック音量調整部６１２にミュージック音量のゲインの増減値、または、増減された後に決定されるミュージック音量のゲイン値をミュージック音量情報として送る。ステップＳ１０５の処理が実行されると、指示情報に基づく音量制御処理が終了される。
【００４７】
ステップＳ１０６では、カラオケ装置１とあらかじめ対応付けられているリモコン装置２に第１通知が送られる。第１通知は、音量のバランスを変えるバランス変更モードにカラオケ装置１の動作モードが変更されたことを表す通知である。第１通知を受け取ったリモコン装置２の処理については後述する。リモコン装置２に第１通知が送られると処理はステップＳ１０７に移される。
【００４８】
ステップＳ１０７では、マイク音量とミュージック音量とのバランスが変更される。指示情報に従ってマイク音量のゲインを上げる指示がマイク音量調整部６１１に送られる場合を説明する。記憶部３０に閾値として記憶されたマイク音量のゲインおよびミュージック音量のゲインの合計値と、指示情報によって上げられるマイク音量のゲインとが比較される。比較されることにより、指示情報によって上げられるマイク音量のゲインに加算しても閾値を越えないミュージック音量のゲインが算出される。算出されたミュージック音量のゲインに変更する指示を表すミュージック音量情報がミュージック音量調整部６１２に送られる。また、指示情報に従ってマイク音量のゲインを上げる指示を表すマイク音量情報がマイク音量調整部６１１に送られる。各音量調整部に指示情報を送る順序は、ゲインを下げる指示情報がゲインを上げる指示情報よりも先に送られる順序である。この順序により指示情報が送られることで、マイク音およびミュージック音が、閾値を越えるゲインにより決定される音量で発音されることはない。
【００４９】
また、ステップＳ１０７において、指示情報に従ってミュージック音量のゲインを上げる指示がミュージック音量調整部６１２に送られる場合は、マイク音量のゲインを上げる指示がマイク音量調整部６１１に送られる場合と同様に、ミュージック音量のゲインに加算しても閾値を越えないマイク音量のゲインが算出される。算出されたマイク音量のゲインに変更する指示を表すマイク音量情報がマイク音量調整部６１１に送られる。ステップＳ１０７の処理については、図７を参照して後述する。ステップＳ１０７により音量のバランスが調整される指示が送られると、処理はステップＳ１０８に移される。
【００５０】
ステップＳ１０８では、カラオケ装置１とあらかじめ対応付けられているリモコン装置２に第３通知が送られる。第３通知は、通常の音量変更モードにカラオケ装置１の動作モードが変更されたことを表す通知である。通常の音量変更モードは、本実施形態においては、主音量の変更操作を受け付けない操作制限モードである。第３通知を受け取ったリモコン装置２の処理については後述する。リモコン装置２に第３通知が送られると指示情報に基づく音量制御処理が終了される。
【００５１】
ステップＳ１０９では、カラオケ装置１とあらかじめ対応付けられているリモコン装置２に第２通知が送られる。第２通知は、音量を変えることが禁止された操作禁止モードにカラオケ装置１の動作モードが変更されたことを表す通知である。第２通知を受け取ったリモコン装置２の処理については後述する。リモコン装置２に第２通知が送られると処理はステップＳ１１０に移される。
【００５２】
ステップＳ１１０では、主音量変更要求が生成され、第４通知が送られる。主音量変更要求は、主音量を変更してほしいことを表すメッセージをモニタ５２および表示部２５２に表示させるための情報である。主音量変更要求が生成されると、カラオケ装置１とあらかじめ対応付けられているリモコン装置２に主音量変更要求を含む第４通知が送られる。通知を受け取ったリモコン装置２の処理については後述する。また、モニタ５２に主音量を変更してほしいことを表すメッセージを表示させるために、主音量変更要求が映像制御部５１に送られる。主音量変更要求が送られると、音量制御処理が終了される。
【００５３】
ステップＳ１１１では、カラオケ装置１とあらかじめ対応付けられているリモコン装置２に第２通知が送られる。第２通知は、音量を変えることが禁止された操作禁止モードにカラオケ装置１の動作モードが変更されたことを表す通知である。第２通知を受け取ったリモコン装置２の処理については後述する。リモコン装置２に第２通知が送られると処理はステップＳ１１２に移される。
【００５４】
ステップＳ１１２では、指示情報に従って音量が変更される。具体的には、指示情報に従って音量を変更させる指示が各音量調整部に送られる。ステップＳ１１２は管理者による操作指示により実行されるため、主音量、マイク音量、およびミュージック音量が操作指示に従って変更される。操作指示に従って音量が変更されると、ステップＳ１１３に処理が移される。
【００５５】
ステップＳ１１３では、カラオケ装置１とあらかじめ対応付けられているリモコン装置２に第３通知が送られる。第３通知は、通常の音量変更モードにカラオケ装置１の動作モードが変更されたことを表す通知である。通常の音量変更モードは、本実施形態においては、主音量の変更操作を受け付けない操作制限モードである。第３通知を受け取ったリモコン装置２の処理については後述する。リモコン装置２に第３通知が送られると、ステップＳ１１４に処理が移される。
【００５６】
ステップＳ１１４では、ステップＳ１１２において管理者の操作に従って決められた、各音量のゲインが記憶される。具体的には、マイク音量のゲインと、ミュージック音量のゲインと、マイク音量およびミュージック音量を合わせた主音量のゲインとが記憶部３０に記憶される。管理者の操作に従って決められた各音量のゲインが記憶部３０に記憶されると、音量制御処理が終了される。
【００５７】
［４．２、リモコン装置２の処理］
リモコン装置２の制御部２１０は、楽曲再生装置１から送られた第１通知、第２通知、第３通知、又は、第４通知を受け付け、ステップＳ２０２の処理を開始する。ステップＳ２０２の処理について図５及び図６を参照して説明する。図５に示されるフローチャートはリモコン装置２の制御部２１０により実行される。図６は、ゲストモードのうち操作制限モードと、バランス変更モードと、操作禁止モードとにおけるＧＵＩをそれぞれ表す。図６の（Ａ）は、操作制限モードにおいて表示部２５２に表示されるＧＵＩを表す。図６の（Ｂ）は、バランス変更モードにおいて表示部２５２に表示されるＧＵＩを表す。図６の（Ｃ）は、操作禁止モードにおいて表示部２５２に表示されるＧＵＩを表す。
【００５８】
ステップＳ２０３では、通知を受け付けたリモコン装置２がユーザモードであるか否かが判断される。リモコン装置２に利用者がログインしている場合、ユーザモードであると判断され、管理者がログインしている場合は、ユーザモードではないと判断される。ログインされていない場合は、ユーザモードであると判断される。ユーザモードであると判断されると処理はステップＳ２０４に移される。ユーザモードでないと判断されると、処理はステップＳ２１０に移される。
【００５９】
ステップＳ２０４では、受け付けた通知が第１通知であるか否かが判断される。第１通知である場合、ステップＳ２０５に処理が移される。第１通知でないと判断された場合、ステップＳ２０６に処理が移される。
【００６０】
ステップＳ２０５では、リモコン装置２の動作モードを変更する第１設定変更処理が実行される。第１設定変更処理では、音量のバランスを変えるバランス変更モードに動作モードが変更され、かつ、バランス変更モードであることを表す表示が表示部２５２に表示される。バランス変更モードに設定された場合、図６の（Ｂ）に表されるように音量のバランスが変更されることを表すメッセージが表示部２５２に表示される。動作モードと表示とが変更されると、リモコン装置２は、次の操作を受け付けるまで、待機状態となる。
【００６１】
ステップＳ２０６では、受け付けた通知が第２通知であるか否かが判断される。第２通知である場合、ステップＳ２０７に処理が移される。第２通知でないと判断された場合、ステップＳ２０８に処理が移される。
【００６２】
ステップＳ２０７では、リモコン装置２の動作モードを変更する第２設定変更処理が実行される。第２設定変更処理では、音量の変更を禁止する操作禁止モードに動作モードが変更され、かつ、操作禁止モードであることを表す表示が表示部２５２に表示される。操作禁止モードに設定された場合、図６の（Ｃ）に表されるように音量変更操作が禁止されたことを表すメッセージが表示部２５２に表示される。さらに、音量を変更するための各操作キー部を表す画像は、背景が透過して見えるように表示される。動作モードと表示とが変更されると、リモコン装置２は、次の操作を受け付けるまで、待機状態となる。
【００６３】
ステップＳ２０８では、受け付けた通知が第３通知であるか否かが判断される。第３通知である場合、ステップＳ２０９に処理が移される。第３通知でないと判断された場合、リモコン装置２は、次の操作を受け付けるまで、待機状態となる。
【００６４】
ステップＳ２０９では、リモコン装置２の動作モードを変更する第３設定変更処理が実行される。第３設定変更処理では、主音量の以外の操作を受け付けることが可能な操作制限モードであることを表す表示が表示部２５２に表示される。操作制限モードに設定された場合、図６の（Ａ）に表されるように主音量を変更するための操作キー部の操作が制限されていることを表す状態で、主音量加算操作キー部２４２５Ｄ、および主音量減算操作キー部２４２５Ｅが表示される。動作モードと表示とが変更されると、リモコン装置２は、次の操作を受け付けるまで、待機状態となる。
【００６５】
ステップＳ２１０では、受け付けた通知が第４通知であるか否かが判断される。第４通知である場合、ステップＳ２１１に処理が移される。第４通知でないと判断された場合、リモコン装置２は、次の操作を受け付けるまで、待機状態となる。
【００６６】
ステップＳ２１１では、リモコン装置２の動作モードを変更する第４設定変更処理が実行される。主音量の以外の操作を受け付けることが可能な操作制限モードであることを表す表示が表示部２５２に表示される。操作制限モードに設定された場合、図６の（Ａ）に表されるように主音量を変更するための操作キー部の操作が制限されていることを表す状態で、主音量加算操作キー部２４２５Ｄ、および主音量減算操作キー部２４２５Ｅが表示される。動作モードと表示とが変更されると、リモコン装置２は、次の操作を受け付けるまで、待機状態となる。
【００６７】
［音量制御処理の一例］
図４に示される音量制御処理において、ステップＳ１０７のマイク音量、および、ミュージック音量のバランスを変更する処理が実行される場合について図７を参照して説明する。以下の処理は、制御部１０により実行される。図７はステップＳ１０７において決定されるミュージック音量のゲインとマイク音量のゲインとを表すグラフである。図７のグラフにおいては、縦軸が各音量のゲイン、横軸が設定例を表す。設定例は、マイク音量、および、ミュージック音量のうち、一方の音量のゲインが決まれば、もう一方の音量のゲインが決まることを表している。一例として、ステップＳ１０７の処理を実行する前の各音量のゲインが設定値６に示される場合であって、カラオケ装置１の操作モードは操作禁止モードではない場合を考える。この場合において、利用者の操作に従ってマイク音量のゲインを「２」上げる指示情報が制御部１０に送られた場合について説明する。但し、指示情報はミュージック音量を変更する操作内容を含まない。
【００６８】
設定値６の場合は、ミュージック音量のゲインを表す値と、マイク音量のゲインを表す値とがそれぞれ「５」である場合である。この場合、指示情報に従って音量制御処理が実行されると、指示情報は利用者からの指示に基づく情報であるため、ステップＳ１０１はＮＯであると判断され、処理はステップＳ１０２に移される。ステップＳ１０２では操作禁止モードでないため、ＮＯと判断され、処理はステップＳ１０３に移される。ステップＳ１０３では、マイク音量を上げることを表す指示情報が送られているため、特殊操作ではなく、ＮＯと判断され、処理はステップＳ１０４に移される。
【００６９】
ステップＳ１０４では、マイク音量のゲインが「２」上げられた場合、閾値を越えるか否かが判断される。記憶部３０に記憶される各音量のゲインの値が設定値６に示される値の場合、閾値は、各音量レベルのゲインの和である「１０」である。指示情報に従って、マイク音量レベルのゲインを「２」上げた場合、マイク音量レベルのゲインは「７」となり、ミュージック音量レベルのゲインは「５」である。このため、その和は「１２」となり、閾値を越えると判断される。マイク音量レベルのゲインを「２」上げた場合、閾値を越えるため、ＹＥＳと判断され、処理はステップＳ１０６に移される。ステップＳ１０６では第１通知がリモコン装置２に送られる。第１通知が送られると処理はステップＳ１０７に移される。
【００７０】
ステップＳ１０７では、マイク音量とミュージック音量とのバランスが変更される。指示情報に従って、マイク音量レベルのゲインを「２」上げた場合、マイク音量レベルのゲインは「７」となる。これに対し、ミュージック音量レベルのゲインは閾値「１０」を超えない値、かつ、マイク音量レベルのゲイン「７」と加算して閾値「１０」を超えない値に決定される。この時、マイク音量レベルのゲインは「７」なのでミュージック音量レベルのゲインは「３」に決定される。つまり、設定例８に示されるミュージック音量レベルのゲイン「３」とマイク音量レベルのゲイン「７」とが決定される。各音量レベルのゲインが決定されると、決定されたミュージック音量レベルのゲインの値を含むミュージック音量情報がミュージック音量調整部６１２に送られる。その後、決定されたマイク音量レベルのゲインの値を含むマイク音量情報がマイク音量調整部６１１に送られる。ミュージック音量情報とマイク音量情報とがそれぞれ送られると、処理はステップＳ１０８に移される。ステップＳ１０８では、第３通知がリモコン装置２に送られて音量制御処理が終了する。
【００７１】
［第１変形例］
図４に示される処理は、リモコン装置２と楽曲再生装置１とにおいて実行されたが、楽曲再生装置１のみで実行されてもよい。その場合、図４に示される処理は操作部４２が受け付けた操作内容に従って、ステップＳ１０１から開始される。また、制御部２１０により実行される処理は制御部１０により実行され、モニタ５２に図６に示すＧＵＩが表示され、且つ、楽曲再生装置１の操作部４２が全ての操作指示を受け付ける構成であればよい。この場合、変形例は、利用者及び管理者を切り替える操作モード切換操作部を備えることで操作モードを切り替える構成でも、ログインにより操作モードを切り替える構成でもよい。
【００７２】
［第２変形例］
前述の音量制御処理のステップＳ１０４において、閾値は記憶部３０に記憶された各音量のゲインの合計値であったが、閾値は、各音量のゲインの合計値ではなく、スピーカから発音される音の音量を決定する電力レベルであってもよい。
閾値として電力レベルを使用してステップＳ１０４の処理が実行される場合、各音量調整部は調整されたゲインにより決定された各音量を表す電力レベルに従って各音量を調整する。つまり、ステップＳ１１４の処理の実行時、または、楽曲再生装置１の起動時に各音量を決定する電力レベルが記憶部３０に記憶される。ステップＳ１０４では、記憶部３０に記憶された電力レベルを閾値として、指示情報に従って調整された音量により決定される電力レベルが閾値を越えるか否かが判断されればよい。
【００７３】
［第３変形例］
本実施形態においては、リモコン装置２から送られる指示情報に従って、制御部１０がステップＳ１０１からステップＳ１１４までの処理を実行した。しかし、制御部２１０において算出された各音量のゲインの変更値に従って、制御部１０が音量を変更させる指示を各音量調整部に送るのみの構成にしてもよい。具体的には、記憶部３０に記憶される閾値などの判断の基準となる情報は、楽曲再生装置１とリモコン装置２との対応付けにおいて楽曲再生装置１からリモコン装置２に送られる。また、音量を変更する管理者の操作指示を受け付けた場合、受け付けた指示に従って変更された音量のゲインが閾値としてリモコン装置２に送られる。ステップＳ１０７が実行されるフローの場合、制御部２１０は、ステップＳ１０１からステップＳ１０４の処理を実行し、ステップＳ１０７のマイク及びミュージックの音量のゲインを算出する。制御部２１０は、算出されたゲインの値を含む指示情報を楽曲再生装置１に送る。制御部１０は、指示情報に従って、音量を変更する指示を各音量調整部に送る。これにより、リモコン装置２の制御部２１０により処理が実行されるため、楽曲の再生や映像の再生など、複数の処理を同時に実行している制御部１０の処理が軽減される。
【００７４】
［第４変形例］
ステップＳ１０１において、指示情報が含む識別情報に従って、リモコン装置２の操作部２４２が受け付けた操作は管理者の指示であるか否かが判断された。しかし、楽曲再生装置１の操作部４２が操作を受け付けた場合には、管理者の指示であると判断してもよい。一利用形態として、楽曲再生装置１のセキュリティ確保や装置の保全のため、楽曲再生装置１は利用者が操作することができないように設置される。一例として楽曲再生装置１は、管理者により施錠された管理ボックスの中に設置されたり、利用客の手の届かない管理室に設置されたりすることがある。つまり、楽曲再生装置１は、管理者が操作部４２を操作することは可能であるが、利用者が操作部４２を操作することができない環境で設置される場合がある。このような場合においては、識別情報に従って管理者であるか否かが判断されなくても、操作部４２が受け付ける操作は管理者による操作であると判断することができる。
【００７５】
［第５変形例］
本実施形態のカラオケ装置は、楽曲再生装置１とリモコン装置２とを備える構成であるが、リモコン装置２を含まない楽曲再生装置１のみがカラオケ装置として構成されてもよい。すなわち、カラオケ装置は、楽曲再生装置１と通信可能な携帯端末とを備えていればよく、少なくとも楽曲再生装置を含む装置であれば良い。
【００７６】
［第６変形例］
本実施形態または第２変形例においては、ステップＳ１０４の処理において記憶部３０に記憶された各音量のゲインまたは各音量の電力レベルが閾値として判断の基準とされた。しかし、不揮発性メモリ（ＲＯＭ）にあらかじめ閾値を記憶させてもよい。ＲＯＭに記憶させる場合は、管理者の操作により閾値となる音量が設定されて記憶され、再度管理者の操作により設定されるまでＲＯＭに記憶された閾値によりステップＳ１０４の処理が実行されればよい。
【００７７】
［本実施形態の記載と特許請求の範囲の記載との対応関係］
カラオケ装置は、カラオケ装置の一例である。楽曲再生装置１は、楽曲再生装置の一例である。オーナーモードに設定されたリモコン装置２は、第１端末の一例である。ゲストモードに設定されたリモコン装置２は、第２端末の一例である。オーナーモードに設定されたリモコン装置２の操作部２４２、および、操作部４２は、第１操作受付手段の一例である。ゲストモードに設定されたリモコン装置２の操作部２４２は、第２操作受付手段の一例である。モニタ５２、および、表示部２５２は、表示手段の一例である。ミュージック音量調整部６１２は、第１設定手段の一例である。マイク音量調整部６１１は、第２設定手段の一例である。主音量調整部６１５は、第３設定手段の一例である。制御部１０は、制御手段の一例である。ステップＳ１０４において、ステップＳ１１４で記憶されるマイク音量のゲインとミュージック音量のゲインとの合計値、または、マイク音量の電力レベルとミュージック音量の電力レベルとの合計値を閾値と決定する処理は、許容音量レベル決定処理の一例である。ステップＳ１０７で実行される処理のうち、指示情報に従ってマイク音量のゲインを上げる指示がマイク音量調整部６１１に送られる場合の処理が、第１音量調整処理の一例である。ステップＳ１０７で実行される処理のうち、指示情報に従ってミュージック音量のゲインを上げる指示がミュージック音量調整部６１２に送られる場合の処理が、第２音量調整処理の一例である。ステップＳ１０３でＹＥＳと判断され、ステップＳ１０９を実行する処理は、第３音量調整処理の一例である。ステップＳ１０３において、楽曲再生装置１が連続して指示情報を受け付け、かつ、指示情報が含む操作内容を表す情報が、ミュージック音量と、マイク音量とを上げる操作を順次受け付けたことを表すと判断され、ステップＳ１１０の処理が実行される場合の一連の処理は、第１表示処理の一例である。ステップＳ１０３において、操作内容を表す情報が、マイク音量とミュージック音量とを同時に上げる操作を受け付けたことを表すと判断され、ステップＳ１１０の処理が実行される場合の一連の処理は、第２表示処理の一例である。ミュージック音量のゲイン、または、ミュージック音量の電力レベルは、楽曲音量レベルの一例である。マイク音量のゲイン、または、マイク音量の電力レベルは、歌唱音量レベルの一例である。マイク音量のゲインとミュージック音量のゲインとの合計値、または、マイク音量の電力レベルとミュージック音量の電力レベルとの合計値は、合成音量レベルの一例である。閾値は、許容音量レベルの一例である。ステップＳ１０７で算出される指示情報によって上げられるマイク音量のゲインに加算しても閾値を越えないミュージック音量のゲインは、許容歌唱音量レベルの一例である。ステップＳ１０７で算出される指示情報によって上げられるミュージック音量のゲインに加算しても閾値を越えないマイク音量のゲインは、許容楽曲音量レベルの一例である。ステップＳ１１４において記憶される各音量のゲイン、または、各音量の電力レベルにより閾値を決定するステップＳ１０４の処理は、許容音量レベル決定ステップの一例である。ステップＳ１０７で実行される処理のうち、指示情報に従ってマイク音量のゲインを上げる指示がマイク音量調整部６１１に送られる場合の処理が、第１音量調整ステップの一例である。ステップＳ１０７で実行される処理のうち、指示情報に従ってミュージック音量のゲインを上げる指示がミュージック音量調整部６１２に送られる場合の処理が、第２音量調整ステップの一例である。
【符号の説明】
【００７８】
１    楽曲再生装置
２    リモコン装置
１０  制御部
２０  メモリ
３０  記憶部
４１  操作処理部
４２  操作部
５１  映像処理部
５２  モニタ
６１  音響制御部
７１  通信部
２１０  制御部
２３０  記憶部
２４２  操作部
２５２  表示部
２７１  通信部
【図１】
0006601234.tif 000002
【図２】
0006601234.tif 000003
【図３】
0006601234.tif 000004
【図４】
0006601234.tif 000005
【図５】
0006601234.tif 000006
【図６】
0006601234.tif 000007
【図７】
0006601234.tif 000008